(57)【特許請求の範囲】
【請求項１】
メダルを投入して遊技を行う遊技機において、
遊技機本体の底部を構成する底板と、
前記底板上に配置されて前記底板の上面の一部を覆い、前記底板とともに前記底部を構成する板金と、
前記遊技機本体の内部へ向けて前記底部上を移動されることにより前記遊技機本体に装着される着脱部材と、を備え、
前記板金は、手前部分と奥側部分とが別体に設けられており、
前記手前部分の板金と前記奥側部分の板金は、前記手前部分の板金の上面と前記奥側部分の板金の上面の高さとがほぼ等しくなるように配置されており、
前記底部のうち前記底板が露呈される露呈部分について、この露呈部分の幅と奥行きとの少なくとも一方は、メダルの直径の整数倍よりも大きく形成されているとともに、前記着脱部材の装着経路の下方とその近傍との少なくとも一方に形成され、
前記手前部分の板金の厚み及び前記奥側部分の板金の厚みが、前記メダルの厚み以上に形成され、
前記着脱部材の少なくとも一部は透明な部材から構成されており、前記透明な部材を介して前記底部を視認可能な遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置されるスロットマシンなどの遊技機が広く知られている。遊技機では、遊技機本体の底部を構成する底板と、底板上に配置されて底板の一部を覆い、底板とともに遊技機本体の底部を構成する板金とを備えている。このように、底板と板金とから構成される遊技機本体の底部には、例えば、遊技機の各部に電源を供給するための電源ＢＯＸや、メダルの払い出しを行うホッパ装置、ホッパ装置から溢れたメダルを収納するためのオーバーフロータンクなどの各種の部品が配置される。
【０００３】
上述のように遊技機の底部に配置された部品の中には、手前側（遊技機本体の前面側）に引き出して遊技機本体から取り外したり、奥側（遊技機本体の背面側）に押し込んで遊技機本体に装着するといったように、底部上を前後にスライドさせることによって遊技機本体に対して着脱自在に設けられたものもある。こうすることで、例えば、ホッパ装置やオーバーフロータンクから底部に落下したメダルを回収するなどのメンテナンスが容易となる。
【０００４】
また、遊技機の中には、遊技機本体の底部に配置された部品を、板金を介してアースする構成としたものもある（例えば、下記特許文献１、２参照）。こうすることで、アース用の配線などを別途設ける場合と比較して効率良くアースできる。
【先行技術文献】
【特許文献】
【０００５】
【特許文献１】特開２００３−２６０１７９号公報
【特許文献２】特開２００７−０３７５７６号公報
【発明の概要】
【発明が解決しようとする課題】
【０００６】
しかしながら、上記特許文献記載の装置では、板金の切り欠き部に落下したメダルの回収が困難な場合があった。
【０００７】
本発明は、上記課題を鑑みてなされたものであり、板金の切り欠き部に落下したメダルの回収が容易な遊技機を提供することを目的としている。
【課題を解決するための手段】
【０００８】
上記目的を達成するために、本発明の遊技機は、
メダルを投入して遊技を行う遊技機において、
遊技機本体の底部を構成する底板と、
前記底板上に配置されて前記底板の上面の一部を覆い、前記底板とともに前記底部を構成する板金と、を備え、
前記底部のうち前記底板が露呈される露呈部分について、この露呈部分の幅と奥行きとの少なくとも一方は、メダルの直径の整数倍よりも大きく形成されている。
【発明の効果】
【０００９】
本発明によれば、底板が露呈される露呈部分の幅と奥行きとの少なくとも一方を、メダルの直径の整数倍よりも大きく形成したので、切り欠き部に落下したメダルの回収が容易である。
【図面の簡単な説明】
【００１０】
【図１】スロットマシンの外観図である。
【図２】収納箱の内部に各種の部品が収納されている様子を示す説明図である。
【図３】ハーネス経路規制部材を示す説明図である。
【図４】ハーネス経路規制部材を示す説明図である。
【図５】傾斜部を示す説明図である。
【図６】傾斜部を示す説明図である。
【図７】傾斜部を示す説明図である。
【図８】ハーネス側コネクタが基板側コネクタに係合された状態を示す説明図である。
【図９】ハーネス側コネクタが基板側コネクタから取り外された状態を示す説明図である。
【図１０】収納箱に収納された各種の部品を収納箱から取り外した状態を示す説明図説明図である。
【図１１】板金の厚みを示す説明図である。
【図１２】電源ＢＯＸの外装体の構成図である。
【図１３】放熱口の説明図である。
【図１４】スライドレールと突出片との間の隙間の厚みを示す説明図である。
【図１５】手前部分と奥側部分を別体に設けた板金の説明図である。
【図１６】手前部分と奥側部分を別体に設けた板金の説明図である。
【図１７】着脱部材の装着位置を示す指標の説明図である。
【発明を実施するための形態】
【００１１】
図１に示すように、スロットマシン（遊技機）１０は、収納箱１１と、前面扉１２とを備え、これらから遊技機本体が構成されている。収納箱１１には、複数（例えば、３つ）のリールがユニット化されたリールユニット（図示せず）や、メダルの払い出しを行うホッパ装置１４（図２、図１０参照）など各種の部品が収納されている。前面扉１２は、上扉１２ａと下扉１２ｂとに分割されており、これら上扉１２ａ及び下扉１２ｂはそれぞれ収納箱１１に軸着され、収納箱１１の前面側に設けられた開口部を開口させる開き位置と開口部を閉じる閉じ位置との間で開閉自在に支持されている。
【００１２】
上扉１２ａには、その前面に、各種画像を表示する液晶ディスプレイ１５、及び、リールを視認させるための透明窓１６が設けられている。リールの外周面には複数種類の図柄が配列されており、リールが停止した状態では、透明窓１６を通して１つのリールにつき３個の図柄が表示される。
【００１３】
下扉１２ｂには、メダルを投入するメダル投入口２２、クレジットされたメダルをベットする際に操作されるベットボタン２３、遊技を開始する際に操作されるスタートレバー２４、回転しているリールを停止させるためのストップボタン２６ａ〜２６ｃ、ホッパ装置から払い出されたメダルを受けるメダル受け皿２７、クレジットされたメダルを清算するための清算ボタン２８が設けられている。
【００１４】
また、スロットマシン１０には、下扉１２ｂにも液晶ディスプレイ２９が設けられている。この液晶ディスプレイ２９は、液晶ディスプレイ１５と同様に各種画像を表示可能な他、画面全体を押し込むように操作することが可能となっており、表示手段としてだけでなく操作手段としても機能する。
【００１５】
スロットマシン１０では、メダル投入口２２にメダルを投入、または、ベットボタン２３操作することによりメダルがベットされるとスタートレバー２４が有効化され、有効化されたスタートレバー２４を操作すると遊技が開始される。遊技が開始されると、内部抽選が実行される。内部抽選では、少なくても１つ役またはハズレが割り当てられた複数の当選エリアのいずれかが決定され、決定された当選エリアに割り当てられた役が当選（当選役）となる。
【００１６】
また、遊技が開始されると、リールが回転を開始する。リールの回転速度が一定速度に到達して定常回転となるとストップボタン２６ａ〜２６ｃの操作が有効化され、有効化されたストップボタン２６ａ〜２６ｃを操作すると操作されたストップボタンに対応するリールを停止させることができる。そして、全てのリールが停止したときに、当選役に対応する図柄組合せが表示されると、この当選役が入賞となり、入賞した当選役に対応する処理（入賞処理）が実行される。
【００１７】
図２に示すように、収納箱１１の内部には、前述したホッパ装置１４の他、ホッパ装置１４から溢れたメダルを収納するためのオーバーフロータンク３０、スロットマシン１０の各部に電源を供給するための電源回路が収められた電源ＢＯＸ３２、電子部品が実装された回路基板５２（図４参照）などが収められた基板ケース３４、３６、３８が収納されている。
なお、図２、及び、後述する図１０では、前面扉１２の図示を省略している。また、収納箱１１の内部には、上述したホッパ装置１４、電源ＢＯＸ３２、基板ケース３４、３６、３８以外にも、例えば、リールユニットなど各種の部品が収納されているが、これら（上述したホッパ装置１４、オーバーフロータンク３０、電源ＢＯＸ３２、基板ケース３４、３６、３８以外の部材）についても図示を省略している。
【００１８】
＜各種ケースの透明化によるメンテナンス性の向上＞
スロットマシン１０では、ホッパ装置１４の下部の外装を構成する本体箱４０、電源ＢＯＸ３２の前面（遊技機本体の手前側の面）、後面（遊技機本体の奥側の面）、上面、側面（遊技機本体の内側（ホッパ装置１４側）の面）の４つの面の外装を構成する外装体４２、及び、基板ケース３４、３６、３８を透明な材料（例えば、樹脂）から形成している。
こうすることで、収納箱１１に収納された各種部品の視認性が向上し、例えば、落下してホッパ装置１４（本体箱４０）の下部に溜まったメダルや、故障箇所、破損箇所の発見が容易となるなどにより、メンテナンス性が向上する。また、不正な改造の痕跡を発見することも容易となる。
なお、ホッパ装置１４について、本体箱４０の下端部に、遊技機本体の底部（底板１００や板金１０２）とは当接しない非当接部を設けてもよい。すなわち、本体箱４０の下端部を、遊技機本体の底部と当接する当接部と、遊技機本体の底部と当接しない非当接部とから構成してもよい。ここで、非当接部は、本体箱４０の下端部に形成された開口部や空洞部などである。そして、本例においても、本体箱４０の下端部に三角柱状の空洞部４０ａ、４０ｂ（図１０参照）が設けられており、これら空洞部４０ａ、４０ｂの下面（下端）が非接触部となっている。
【００１９】
＜ハーネス経路規制部材による省スペース化＞
図２において、基板ケース３４は、収納箱１１の奥壁４４に配置され、基板ケース３６、３８は、収納箱１１の側壁４６に配置されている。また、基板ケース３６は、奥壁４４側の端部が、基板ケース３４と側壁４６との間に形成された隙間に挿入されるように配置されている。
【００２０】
図３、図４に示すように、基板ケース３６の側面（遊技機本体の内側（ホッパ装置１４側）の面）には、奥壁４４側に開口４８が形成され、開口４８からハーネス５０が露呈している。ハーネス５０は基板ケース３６外の部品から延び、先端（回路基板５２側）には、ハーネス側コネクタ５４が設けられ、このハーネス側コネクタ５４が回路基板５２に実装された基板側コネクタ５６に係合されている。このようにハーネス側コネクタ５４と基板側コネクタ５６とが係合されることによって、基板ケース３６外の部品と回路基板５２とがハーネス５０を介して電気的に接続される。
【００２１】
基板ケース３６には、開口４８の近傍にハーネス経路規制部材５８が立設されている。
ハーネス経路規制部材５８は、基端部が開口４８よりも奥側（奥壁４４側）に設けられ、先端部が開口４８よりも手前側に設けられている。そして、ハーネス経路規制部材５８は、基端部から中間部（基端部と先端部との中間部分）へかけては基板ケース３６から遠ざかるように斜め手前方向に向かい、中間部で基板ケース３６の外壁と平行な方向に屈曲されて手前側の先端部へ向かう形状に形成されている。
ハーネス５０は、回路基板５２から垂直に遠ざかる方向へ向かった後、その経路がハーネス経路規制部材５８により基板ケース３６の外壁と平行な方向（基板ケース３６の外壁に沿う方向）に屈曲され（規制され）、基板ケース３６の外壁に沿って手前方向へと向かう。
スロットマシン１０では、上述のようにハーネス経路規制部材５８によりハーネス５０の経路を基板ケース３６の外壁に沿う方向へと規制するようにした。これにより、ハーネス経路規制部材５８を設けずにハーネス５０が基板ケース３６から垂直に遠ざかる方向に延びている場合と比較して、ハーネス５０と基板ケース３６外の部品との干渉を防止し、省スペース化（スペースの有効活用）が可能である。具体的には、本実施形態のように、基板ケース３４と側壁４６との間などの狭い隙間であっても基板ケース３６を配置することが可能であり、このような隙間を有効活用できる。
【００２２】
なお、本発明は、基板ケースから露呈したハーネスの経路を、ハーネス経路規制部材により基板ケースの外壁に沿う方向へと規制すればよいので、基板ケースやハーネス経路規制部材の具体的な形状や配置位置については、適宜変更できる。
また、上記実施形態では、ハーネス経路規制部材を基板ケースと一体に設ける例で説明をしたが、ハーネス経路規制部材を基板ケースとは別体に設けてもよい。この場合、ハーネス側コネクタを基板側コネクタに接続した後にハーネス経路規制部材を基板ケースに固定すればよい。
さらに、上記実施形態では、ハーネス経路規制部材により、コネクタ（ハーネス側コネクタ）から延びるハーネスの経路を規制する例で説明をしたが、コネクタを介さずに基板に直接接続されているハーネスの経路をハーネス経路規制部材により規制してもよい。
【００２３】
＜傾斜部によるコネクタの着脱性の向上＞
図２、図５に示すように、基板ケース３６の側面には、開口６０が設けられており、開口６０から回路基板５２（図４参照）に実装された基板側コネクタ６６が露呈されている。基板側コネクタ６６には、基板ケース３６外の部品から延びるハーネス６１の先端に設けられたハーネス側コネクタ６４が係合されている。このようにハーネス側コネクタ６４と基板側コネクタ６６とが係合されることによって、基板ケース３６外の部品と回路基板５２とがハーネス６１を介して電気的に接続される。
【００２４】
図５において、基板ケース３６には、開口６０の近傍に傾斜部６８が設けられている。
傾斜部６８は、開口６０に向かうほど回路基板５２へ近づくように、基板ケース３６の外壁を傾斜させることにより形成されている。
なお、本実施形態では、開口６０の上下左右（上側、下側、奥側、手間側）の４つの方向から開口６０に向けて傾斜するように傾斜部６８を形成している
このように、傾斜部６８を設けることにより、ハーネス側コネクタ６４の周囲にスペースが形成され、このスペースを利用してハーネス側コネクタ６４を把持するなどが可能となる。つまり、傾斜部６８を設けて開口６０からハーネス側コネクタ６４を露呈させることにより、ハーネス側コネクタ６４を着脱するための着脱スペースが確保される。これにより、ハーネス側コネクタ６４の着脱が容易となり、メンテナンス性などが向上する。
【００２５】
なお、上記実施形態では、傾斜部が、開口６０の上下左右（上側、下側、奥側、手間側）の４つの方向から開口６０に向けて傾斜している例で説明をしたが、傾斜部は少なくとも１つの方向から開口へ向けて傾斜していればよい。このため、例えば、図６に示す傾斜部６８ａのように前後（手前側、奥側）からのみ開口６０へ向けて傾斜するようにしてもよい。また、図７に示すように、基板側コネクタ６６やハーネス側コネクタ６４が基板ケース３６の角（図７の例では基板ケースの側面の手前側かつ下側）にある場合には、傾斜部６８ｂのように、一方向（図７の例では前（奥側））からのみ開口６０へ向けて傾斜するようにしてもよい。
なお、図６、図７では、上述した実施形態と同様の部材については同様の符号を付して説明を省略している。
【００２６】
＜ハーネス側コネクタの取り付けにより遮蔽される固定具＞
図２、図８、図９に示すように、基板ケース３６の上面の手前側には開口７０が形成されており、開口７０から回路基板５２（図４参照）に実装された基板側コネクタ７６が露呈されている。基板側コネクタ７６には、基板ケース３６外の部品から延びるハーネス７１の先端に設けられたハーネス側コネクタ７４が係合されている。このようにハーネス側コネクタ７４と基板側コネクタ７６とが係合されることによって、基板ケース３６外の部品と回路基板５２とがハーネス７１を介して電気的に接続される。
【００２７】
また、基板ケース３６の上方には、基板ケース３８（近傍部材）が配置されている。基板ケース３８は、基板ケース３８の手前側の上下２本、及び、奥側の上下２本の合計４本のネジ８０（固定具）により収納箱１１の側壁４６に固定（ネジ止め）されている。そして、ネジ８０のうちの１本（本例では、基板ケース３８の手前側の下）は、基板側コネクタ７６にハーネス側コネクタ７４を係合させた（装着した）状態（図８参照）ではハーネス側コネクタ７４により遮蔽され、基板側コネクタ７６からハーネス側コネクタ７４を取り外した状態（図９参照）では露呈される位置に設けられている。つまり、このような位置関係となるように、ネジ８０（ネジ８０による固定位置）と基板側コネクタ７６との相対的な位置関係が決定されている。
こうすることで、ハーネス側コネクタ７４が装着された状態では、ネジ８０へのアクセスが阻害されて基板ケース３８を着脱できず、基板ケース３８を着脱するためにはハーネス側コネクタ７４を取り外さなければならない。つまり、基板ケース３８の取り外しに手間がかかる。これにより、基板ケース３８を不正に着脱するといった行為を抑制できる。
【００２８】
なお、上記実施形態では、固定具がネジである例で説明したが、固定具はネジ以外であってもよい。ネジ以外の固定具としては、例えば、ボルトやナット、係止爪を係止部に係合させて固定するものなどが挙げられる。
また、上記実施形態では、近傍部材が基板ケースである例で説明をしたが、近傍部材は基板ケース以外であってもよい。
さらに、上記実施形態では、ハーネス側コネクタにより固定具を遮蔽して取り外しを阻止する例で説明をしたが、ハーネスにより固定具を遮蔽して取り外しを阻止する構成としてもよい。
また、上記実施形態では、開口からハーネス側コネクタ及びハーネスが露呈される例で説明をしたが、開口からハーネスのみが露呈される構成としてもよい。
【００２９】
なお、上記実施形態では、ハーネス経路規制部材、傾斜部、固定具の取り外し防止構成（ハーネス側コネクタまたはハーネスにより固定具の取り外しを防止する構成（図８参照））の全てを共通の基板ケースに設ける例で説明をしたが、これら３つの構成を別々の基板ケースに設けてもよい。もちろん、前述した３つの構成のうちの任意の２つのみを共通の基板ケースに設けてもよい。
また、上記実施形態では、前述した３つの構成を基板ケースの別々の場所（別々の開口の近傍）に設ける例で説明をしたが、これら３つの構成の全て、または、任意の２つを、同じ場所（共通の開口の近傍）に設けてもよい。
【００３０】
＜メダル落下時の悪影響防止に寄与する底部の板金の厚み＞
図１０に示すように、収納箱１１は、底板１００と、底板１００上に配置されて底板１００の一部を覆う板金１０２（収納箱１１の開口部の下側の内周を形成する導電板）とを備え、遊技機本体の底部は、これら底板１００（底板１００の上面）及び板金１０２から構成される。
板金１０２は、手前側が収納箱１１の内部の左右全域に渡るように形成され、左右それぞれの端部が、収納箱１１の内部の側面を構成する側板１０４、１０６（収納箱１１の開口部の左側、右側の内周を形成する導電板）に当接されている。側板１０４、１０６は、収納箱１１の内部天面を構成する天板１０８（収納箱１１の開口部の上側の内周を形成する導電板）（図２参照）を介して連結されている。スロットマシン１０では、このように連結された板金１０２、側板１０４、１０６、天板１０８を、金属などの導電性を有する材料から形成し、これらのいずれかを接地（アース）することにより、これら全体がアースとして機能するようにしている。
【００３１】
板金１０２には、切り欠き部１１０が形成されており、切り欠き部１１０から底板１００が露呈されている。切り欠き部１１０の左右には一対のスライドレール１１２、１１４が設けられており、ホッパ装置１４は、スライドレール１１２、１１４の間（切り欠き部１１０の上部）を前後（手前側と奥側）にスライド自在に設けられ、手前側に引き出すことにより収納箱１１から取り外され、奥側に押し込むことにより収納箱１１に収納される。このように、スライドレール１１２、１１４は、ホッパ装置１４（着脱部材）を前後にスライド自在に支持する支持部材として機能する。
【００３２】
ホッパ装置１４は板金１０２を介してアースされている。
具体的には、板金１０２と当接するホッパ装置１４の本体箱４０の下端部に設けられ、左右に突出する突出片１４ａ（板金１０２の上面と、この上面に対面するスライドレール１１２、１１４の下面との間に形成されたスリット状の隙間Ｓ１に挿入される部分）を、導電性を有する材料から形成し、ホッパ装置１４のアースとして機能させている。
【００３３】
前述した隙間Ｓ１（スライドレール１１２、１１４により形成される隙間（板金１０２の上面と、この上面に対面するスライドレール１１２、１１４の下面との間に形成されたスリット状の隙間））の奥側（スロットマシン１０の背面側）には、隙間Ｓ１を塞ぐようにストッパ（規制部材）１０２ａが設けられている。そして、ホッパ装置１４は、このストッパ１０２ａにより奥側への移動が規制されている（ホッパ装置１４がストッパ１０２ａよりも奥側に移動してしまうことがないように構成されている）。
もちろん、ストッパ１０２ａと同様の機能を有する規制部材を、前述した隙間以外の部分に設けてもよい。また、規制部材は、板金１０２、スライドレール１１２、１１４、底板１００、奥壁４４など任意の部材に設けることができる。さらに、規制部材は、遊技機本体（遊技機本体の底部（底板１００や板金１０２）など）とは別体とし、遊技機本体に固定する構成としてもよいし、例えば、板金の後端部を上方へ向けて折り曲げて規制部材として機能させるといったように遊技機本体（遊技機本体の底部）と一体の構成としてもよい。
【００３４】
なお、前述した隙間Ｓ１（板金１０２の上面と、この上面に対面するスライドレール１１２、１１４の下面との間に形成されたスリット状の隙間であり、本体箱４０の下端部から左右に突出した突出片１４ａが挿入される隙間）の厚み（ホッパ装置１４のスライド方向（前後方向）に直行する上下方向の厚み）は、メダルの厚みよりも厚いことが好ましい。また、隙間Ｓ１の厚みは、メダルの厚みの整数倍よりも大きい（メダルの厚みの整数倍＋アルファ（アルファ＞「０」））であることが好ましい。このような構成とすることによって、隙間Ｓ１に１枚のメダル（または、上下方向に重なった状態の複数枚のメダル）が隙間なく挟まり、取り出しが困難となるといった問題を防止できる。
【００３５】
さらに、隙間Ｓ１を、スロットマシン１０の前面側から観察した図１４において、この隙間Ｓ１の厚み（上下方向の厚み）から、ホッパ装置１４（本体箱４０）の下端部から左右に突出した突出片１４ａの厚み（上下方向の厚み）を引いた残りの厚みＨ、（すなわち、ホッパ装置１４を装着（収納箱１１に収納）した場合の隙間Ｓ１の残りの厚みＨ）は、メダル２枚分未満の厚みであることが好ましく、さらに好ましくはメダル１枚分未満の厚みとすることである。こうすることで、ホッパ装置１４を装着する際やホッパ装置１４を装着した状態において、隙間Ｓ１の残りの隙間（スライドレール１１２、１１４の下面と、突出片１４ａの上面との間の隙間）にメダルが挟まってホッパ装置１４の着脱を妨げるといった問題を防止できる。
【００３６】
図１０に戻り、板金１０２には、切り欠き部１２０が形成されており、切り欠き部１２０から底板１００が露呈されている。切り欠き部１２０は前後に長く形成されており、オーバーフロータンク３０は、切り欠き部１２０の上部を前後にスライド自在に設けられ、手前側に引き出すことにより収納箱１１から取り外され、奥側に押し込むことにより収納箱１１に収納される。
このように、ホッパ装置１４、及び、オーバーフロータンク３０は、遊技機本体の底部上を前後にスライドされることにより遊技機本体（収納箱１１）に対して着脱される、本発明の着脱部材として機能する。
【００３７】
上述のように、着脱部材（本例では、ホッパ装置１４やオーバーフロータンク３０）は、遊技機本体の底部をスライドされて着脱されるため、遊技機本体の底部にメダルが落下していると、このメダルによりスライドが阻害され、スムーズな着脱が行えない場合がある。
このため、スロットマシン１０では、遊技機本体の底部にメダルが落下している場合であっても、このメダルの上方を着脱部材がスムーズに通過できるように工夫が施されている。
具体的には、図１１に示すように、板金１０２の厚みをメダル１３０の厚み以上としている。
これにより、遊技機本体の底部にメダル１３０が落下しても、このメダル１３０が切り欠き部１１０や切り欠き部１２０に落ち込むことで、着脱部材の移動が阻害されることが無く、着脱部材のスムーズな着脱が可能となる。
【００３８】
なお、本実施形態では、板金１０２の上面にホッパ装置１４を載置した場合に、本体箱４０の下面のうち、少なくとも奥側（スロットマシン１０の背面側）の端部が隙間なく板金１０２の上面に当接するようにしている。
こうすることで、切り欠き１１０に落ち込むこと無く板金１０２の上面にメダル１３０が乗っている状態であっても、ホッパ装置１４を遊技機本体に装着する際に本体箱４０の奥側の下端部により押しずらして、切り欠き１１０に落ち込ませることができる。
また、前述のように、本実施形態では、本体箱４０を透明な材料から形成しているため、切り欠き１１０に落ち込んだメダル１３０の確認も容易である。
【００３９】
同様に、本実施形態では、板金１０２の上面にオーバーフロータンク３０を載置した場合に、オーバーフロータンク３０の下面のうち、少なくとも奥側の端部が隙間なく板金１０２の上面に当接するようにしている。
こうすることで、切り欠き１２０に落ち込むこと無く板金１０２の上面にメダル１３０が乗っている状態であっても、オーバーフロータンク３０を遊技機本体に装着する際にオーバーフロータンク３０の奥側の下端部により押しずらして、切り欠き１２０に落ち込ませることができる。
【００４０】
なお、一般に、スロットマシンで用いられるメダルとしては、２種類のメダルが知られており、１つは、直径が２５ｍｍ程度、厚みが１．６ｍｍ程度のものであり、もう１つは、直径が３０ｍｍ程度、厚みが１．７ｍｍ程度のものである。
板金１０２の厚みは、スロットマシン１０で用いるメダルの厚みよりも厚ければよいので、用いるメダルにより板金１０２の厚みを決定すればよい。
ただし、板金１０２の厚みが１．６ｍｍ以上１．７ｍｍ未満であると、厚みが１．７ｍｍのメダルを用いるスロットマシンに板金１０２を流用することができず、汎用性が低くなる。反対に、板金の厚みが厚くなるほど、重量やコストが増大してしまう。
このため、板金１０２の厚みは、１．７ｍｍ程度とすることが好ましい。
【００４１】
また、切り欠き部１１０、１２０にメダルが落ち込むために、切り欠き部１１０、１２０の幅（左右方向の長さ）は、少なくともメダルの直径以上に形成されている必要があるが、切り欠き部１１０、１２０の幅がメダルの直径の整数倍であると、切り欠き部１１０、１２０に落ち込んだメダルが幅方向に隙間なく並んでしまい、取り出しが困難になるといった問題がある。
このため、切り欠き部１１０、１２０の幅は、メダルの直径の整数倍＋アルファ（メダルの直径の１０％〜９０％程度の長さ）であることが好ましい。
なお、前述した切り欠き部１１０、１２０の幅の場合と同様に、切り欠き部の奥行き（前後方向の長さ）もメダルの直径の整数倍＋アルファであることが好ましい。
さらに、メダルが落ち込む場所としては、切り欠き部以外にも、板金によって覆われずに底板が露呈している部分（露呈部分）が存在する。このため、このような露呈部分についても幅や奥行きを、メダルの直径の整数倍＋アルファとすることが好ましい。このような露呈部分としては、板金と板金との間、板金と収納箱１１の内壁（側壁４６や奥壁４４）との間、板金と収納箱１１に配置される他の部材（板金以外の部材であり、ホッパ装置１４、オーバーフロータンク３０、電源ＢＯＸ３２など）との間、前述した他の部材同士の間などが挙げられる。
また、前述したアルファの値はメダルの直径の１０％〜９０％程度に限定されず適宜変更できる。具体的には、アルファの値は「０」でなければよい（「０＜アルファ」であればよい）ので、メダルの直径の１０％以下であってもよい。
【００４２】
さらに、上記実施形態では、板金１０２として、手前部分（側板１０４と側板１０６を繋ぐように左右に長く形成された部分であり、遊技者側の部分）と、奥側部分（手前部分に対して奥側（スロットマシン１０の背面側）の部分であり、ホッパ装置１４が載置される部分（スライドレール１１２、１１４が設けられた部分）や、電源ＢＯＸ３２が載置される部分（後述する支持レール１４０、１４２が設けられた部分）や、オーバーフロータンク３０が載置される部分）とが一体に形成されたものを用いる例で説明をしたが、本発明はこれに限定されない。
例えば、図１５に示す板金２０２のように、手前部分２０２ａと奥側部分２０２ｂとを別体に設けてもよい。
なお、板金２０２のように、手前部分２０２ａと奥側部分２０２ｂとが別体に設けられた板金を用いる場合、図１６に示すように、手前部分２０２ａ（手前部分の板金）と、奥側部分２０２ｂ（奥側部分の板金）とが段差無く面一（同じ高さ）に接続されていることが好ましい。こうすることで、手前部分２０２ａと奥側部分２０２ｂとの間の段差で着脱部材（ホッパ装置１４、オーバーフロータンク３０など）の着脱が阻害されるといったことを防止できる（着脱部材をスムーズに着脱できる）。
また、板金２０２のように、手前部分２０２ａと奥側部分２０２ｂとが別体に設けられた板金を用いる場合、図１６に示すように、手前部分２０２ａの上面（手前部分の板金の上面）と奥側部分２０２ｂの上面（奥側部分の板金の上面）とが隙間無く（隙間の幅がメダルの厚み未満となるように）配置（接続）されていることが好ましい。こうすることで、前述の隙間にメダルが挟まって着脱部材の着脱が阻害されるといったことを防止できる。
もちろん、板金の奥側部分についても部分毎に別体に設けてもよい。この場合、例えば、ホッパ装置１４が載置される部分を、他の部分（電源ＢＯＸ３２が載置される部分や、オーバーフロータンク３０が載置される部分）とは別体に設けるといったことが考えられる。
【００４３】
さらに、図１７に示すように、着脱部材を前述した所定位置に確実に装着できるようにするための指標を設けてもよい。指標は、例えば、遊技機本体の底部の上面に設けられ、着脱部材が所定位置まで挿入されていない場合には着脱部材によって遮蔽されて一部または全部が視認不能であり、着脱部材が所定位置まで挿入された場合には視認可能となる、マークやメッセージである。そして、図１７の例では、指標として、線３００（マーク）、矢印３０２（マーク）、メッセージ３０４を、板金１０２の上面に設けている。
【００４４】
もちろん、遊技機本体の底部の上面のうち、着脱部材が装着された場合に遮蔽されるべきでない領域、すなわち、着脱部材が所定位置に装着された場合には露呈される領域であり、この領域が着脱部材によって遮蔽されている場合に着脱部材が所定位置まで挿入されていないことを示す領域と、他の領域とを異なる色に着色すること（色分け表示すること）により、着脱部材が所定位置まで挿入されていること（確実に装着できていること）を確認できる構成としてもよい。
【００４５】
また、着脱部材を所定位置まで挿入した場合に、着脱部材を所定位置に係止するロック機構を設けてもよい。ロック機構としては、例えば、遊技機本体の底部の上面に、奥側へ向かうほど高さが高くなる傾斜面と、傾斜面よりも奥側に設けられた係止部とを有する爪が考えられる。このような爪を設けた場合、着脱部材は、爪（傾斜面）を乗り上げるように（または、爪（傾斜面）を下方に押し下げて）遊技機本体の奥側へ挿入される。そして、所定位置まで挿入されると、爪（係止部）の後方に着脱部材が落ち込み（または、下方への押圧が解除された爪（係止部）が着脱部材の前方にせり上がり）、着脱部材の前面側に爪（係止部）が配置されて手前側への移動が規制される。このような構成としても、着脱部材を確実に装着できる。
【００４６】
遊技機の中には、着脱部材を所定位置まで挿入することによって着脱部材側のコネクタが遊技機本体側のコネクタに係合し、着脱部材と遊技機本体とが電気的に接続される構成としているものもある。このような遊技機では、着脱部材が所定位置まで挿入されていないと（着脱部材が確実に装着されていないと）、着脱部材と遊技機本体との電気的な接続が不安定または接続が断絶してしまうので、前述のように指標やロック機構を設けることによって着脱部材を確実に装着できる構成とすることが特に有効である。
【００４７】
＜電源ＢＯＸの放熱・アース構造＞
図１０に戻り、板金１０２上には、前後に長く形成され、所定間隔を開けて左右に並べて配置された一対の支持レール１４０、１４２が配置されており、この支持レール１４０、１４２上に電源ＢＯＸ３２が載置されている（図２参照）。すなわち、電源ＢＯＸ３２は、支持レール１４０、１４２の高さに相当する分の間隔を開けて板金１０２の上方に配置されている（図１３参照）。
【００４８】
図１２に示すように、電源ＢＯＸ３２は、外装体４２、１５０を備えており、電源ＢＯＸ３２の外装はこれら外装体４２、１５０により構成される。
前述のように、外装体４２は、例えば、透明な樹脂から形成され、電源ＢＯＸ３２の前面（遊技機本体の手前側の面）、後面（遊技機本体の奥側の面）、上面、側面（ホッパ装置１４側の面）の４つの面の外装を構成する。
外装体４２は、電源ＢＯＸ３２の後面の外装を構成する後面板１５２に、複数の放熱用貫通孔１５４が形成されており、この放熱用貫通孔１５４から電源ＢＯＸ３２内の熱を放出できるようになっている。図２、図１０に示すように電源ＢＯＸ３２の背後（奥壁４４側）には、奥壁４４を貫通する開口１５６が形成されており、放熱用貫通孔１５４から放出された熱は、開口１５６を介してスロットマシン１０の外部に放出される。
【００４９】
図１２に戻り、外装体１５０は、金属など導電性を有する材料から形成され、電源ＢＯＸ３２の下面（底面）と、側面（側壁４６（図２、図１０参照）側の面）の２つの外装を構成する。
外装体１５０は、電源ＢＯＸ３２の側面を構成する側面板１５８に、電源回路を搭載した基板がネジ止めされるなどして取り付けられている。また、側面板１５８には、前方（手前側）に延設された延設部１６０が設けられており、図２に示すように、この延設部１６０が側板１０４に当接されている。これにより、電源ＢＯＸ３２（外装体１５０や、側面板１５８に取り付けられた部品）がアースされる。また、側面板１５８から側板１０４へと熱を伝達することにより電源ＢＯＸ３２の熱を逃がすことができる。
【００５０】
再び図１２に戻り、外装体１５０は、電源ＢＯＸ３２の下面を構成する下面板１６２に、複数の放熱口１６４が形成されており、この放熱口１６４から電源ＢＯＸ３２内の熱を放出できるようになっている。図１３に示すように、放熱口１６４は、その開口部１６６が電源ＢＯＸ３２と板金１０２との間に形成された隙間（支持レール１４０、１４２により形成された隙間）に配置されており、この隙間へ向けて放熱する。また、放熱口１６４は、開口部１６６が後側（奥壁４４に形成された開口１５６側）へ向けられており、開口１５６へ向けて放熱する。つまり、放熱口１６４により、電源ＢＯＸ３２内の熱が電源ＢＯＸ３２と板金１０２との間の隙間及び開口１５６を介してスロットマシン１０の外部へと放出される。
【００５１】
さらに、本例では、支持レール１４０、１４２を、金属などの導電性を有する材料から形成している。これにより、電源ＢＯＸ３２（外装体１５０や、側面板１５８に取り付けられた部品）がアースされる。また、下面板１６２から支持レール１４０、１４２を介して板金１０２へと熱を伝達することにより電源ＢＯＸ３２の熱を逃がすことができる。
【００５２】
なお、上記実施形態では、電源ＢＯＸ３２の外装を構成する６つの面のうち２つの面（片方の側面と底面）を、金属などから形成してアース及び放熱の機能を持たせる例で説明をしたが、電源ＢＯＸ３２の外装を構成する６つの面のうちアース及び放熱の機能を持たせる面の位置や数については自由に設定できる。
また、上記実施形態では、電源ＢＯＸ３２の外装を構成する６つの面のうち４つの面を透明な樹脂などから形成して視認性を向上させる例で説明をしたが、電源ＢＯＸ３２の外装を構成する６つの面のうち透明とする面の位置や数については自由に設定できる。
もちろん、１つの面の一部を金属などから形成してアース及び放熱の機能を持たせ、この面の残りの部分を透明として視認性を向上させてもよい。
【００５３】
また、上記実施形態では、電源ＢＯＸ３２を支持レール１４０、１４２上に載置する例で説明をしたが、本発明はこれに限定されるものではない。支持レール１４０、１４２を廃止し、遊技機本体の底部（板金１０２の上面）と電源ＢＯＸ３２の底面との間に隙間が形成されるように、電源ＢＯＸ３２を側壁４６にネジ止めするなどして固定してもよい。
【００５４】
さらに、上記実施形態では、電源ＢＯＸ３２の下面を構成する下面板１６２に、開口部１６６が奥側（後側）へ向くように放熱口１６４を設ける例で説明をしたが、本発明はこれに限定されるものではない。放熱口は、例えば、放熱用貫通孔１５４（図１２参照）と同様の貫通孔（下面板１６２に形成された貫通孔であり、開口が下方を向くように形成された貫通孔）であってもよい。このような貫通孔を放熱口としても電源ＢＯＸ３２内の熱を電源ＢＯＸ３２外に放出できる。もちろん、ファンなどの送風手段を設け、電源ＢＯＸ３２内の熱を電源ＢＯＸ３２外に放出したり、電源ＢＯＸ３２（放熱口）から放出された熱を開口１５６を介してスロットマシン１０の外部へと放出してもよい。
【符号の説明】
【００５５】
１０  スロットマシン（遊技機）
１１  収納箱（遊技機本体）
１２  前面扉（遊技機本体）
１４  ホッパ装置（着脱部材）
３０  オーバーフロータンク（着脱部材）
３２  電源ＢＯＸ
３４、３６  基板ケース
３８  基板ケース（近傍部材）
４０  本体箱
４２、１５０  外装体
４４  奥壁
４６  側壁
４８、６０、７０  開口
５０、６１、７１  ハーネス
５２  回路基板
５４、６４、７４  ハーネス側コネクタ
５６、６６、７６  基板側コネクタ
５８  ハーネス経路規制部材
６８、６８ａ、６８ｂ  傾斜部
８０  ネジ（固定具）
１００  底板（遊技機本体の底部）
１０２  板金（遊技機本体の底部）（導電板）
１０４、１０６  側板（導電板）
１１０、１２０  切り欠き部
１１２、１１４  スライドレール
１３０  メダル
１４０、１４２  支持レール
１５２  後面板
１５４  放熱用貫通孔
１５６  開口
１５８  側面板
１６０  延設部
１６２  下面板
１６４  放熱口
１６６  開口部
【図１】
0006950975.tif 000002
【図２】
0006950975.tif 000003
【図３】
0006950975.tif 000004
【図４】
0006950975.tif 000005
【図５】
0006950975.tif 000006
【図６】
0006950975.tif 000007
【図７】
0006950975.tif 000008
【図８】
0006950975.tif 000009
【図９】
0006950975.tif 000010
【図１０】
0006950975.tif 000011
【図１１】
0006950975.tif 000012
【図１２】
0006950975.tif 000013
【図１３】
0006950975.tif 000014
【図１４】
0006950975.tif 000015
【図１５】
0006950975.tif 000016
【図１６】
0006950975.tif 000017
【図１７】
0006950975.tif 000018